(57)【要約】【課題】壁に設けられた窪み内に配置されたときに画像表示装置から排出された高温空気を窪みの外へ排出できるようにする画像表示装置用フレームを提供する。【解決手段】画像表示装置用フレーム２００Ａは、表示面が前方を向く姿勢で設置される画像表示装置１０１の周囲に設置されるものであり、画像表示装置１０１の周囲の空間を画像表示装置１０１の前面側の第１空間Ｓ１と画像表示装置１０１の背面側の第２空間Ｓ２とに仕切るとともに、第１空間Ｓ１と第２空間Ｓ２とを連通する排気口２０５が設けられた本体２０１と、排気口２０５を通じて第２空間Ｓ２から第１空間Ｓ１へ空気を流すファン２０３と、を備える。【選択図】図２
2011191534.tif 000002
【特許請求の範囲】
【請求項１】
表示面が前方を向く姿勢で配置される画像表示装置の周囲に設置されるフレームであって、
前記画像表示装置の周囲の空間を前記画像表示装置の前面側の第１空間と前記画像表示装置の背面側の第２空間とに仕切るとともに、前記第１空間と前記第２空間とを連通する排気口が設けられた本体と、
前記排気口を通じて前記第２空間から前記第１空間へ空気を流すファンと、
を備える、画像表示装置用フレーム。
【請求項２】
前記本体は、前記画像表示装置の上方で横向きに延びる上辺部を有し、前記上辺部に前記排気口が設けられた、請求項１に記載の画像表示装置用フレーム。
【請求項３】
前記本体は、前記画像表示装置の左側および右側で前記上辺部の両端から下方に延びる一対の側辺部をさらに有する、請求項２に記載の画像表示装置用フレーム。
【請求項４】
前記一対の側辺部の各々の下部に前記第１空間から前記第２空間へ空気を導入するための吸気口が設けられた請求項３に記載の画像表示装置用フレーム。
【請求項５】
前記排気口は、前記本体の前記上辺部の中央領域に設けられた、請求項２〜４のいずれか１項に記載の画像表示装置用フレーム。
【請求項６】
前記本体には、前記画像表示装置に設けられた係合部と係合する被係合部が設けられている、請求項１〜５のいずれか１項に記載の画像表示装置用フレーム。
【請求項７】
前記画像表示装置は、壁に設けられた窪み内に配置されるものであり、
前記本体は前記画像表示装置と前記窪みとの間の隙間を閉塞する、
請求項１〜６のいずれか１項に記載の画像表示装置用フレーム。
【請求項８】
前記本体の外側縁部から前記第２空間を囲うように延びる囲い部をさらに備える請求項７に記載の画像表示装置用フレーム。
【請求項９】
前記囲い部は、前記窪みの奥面に接する位置まで延びている、請求項８に記載の画像表示装置用フレーム。
【発明の詳細な説明】
【技術分野】
【０００１】
本発明は、壁に設けられた窪み内に配置される画像表示装置に用いられる画像表示装置用フレームに関する。
【背景技術】
【０００２】
近年、テレビ映像などの画像を表示する画像表示装置の薄型化が進んでいる。画像表示装置の薄型化に伴って、従来のＣＲＴ（Cathode Ray Tube）を備えた画像表示装置に代わってプラズマディスプレイパネルまたは液晶パネルなどのいわゆる平板型表示パネルを備えた薄型の画像表示装置が主流となっている。
【０００３】
図８は、このような平板型画像表示装置の一例であるプラズマディスプレイ装置１００を、画像表示面側から観察したときの斜視図である。プラズマディスプレイ装置１００では、画像を表示するプラズマディスプレイパネル（以下「ＰＤＰ」という。）２とこのＰＤＰ２を駆動するための回路基板などが、フロントカバー３およびバックカバー４によって覆われている。
【０００４】
なお、以下の説明においては、上下方向とは通常の使用状態にプラズマディスプレイ装置を配置したときの上下方向（すなわち鉛直方向）を示すこととする。また、左右方向とはこれと直交する方向（すなわち水平方向）を示すこととする。
【０００５】
図９は、従来のプラズマディスプレイ装置１００の内部構成を示す概略断面図である。図９に示すように、プラズマディスプレイ装置１００のフロントカバー３とバックカバー４の内部には、画像を表示するＰＤＰ２と、これを樹脂シート７を介して前面５ａで支持するシャーシ５と、シャーシ５の背面５ｂに取り付けられたＰＤＰ２を駆動するための複数の回路基板６と、が納められている。図９に示すように、シャーシ５の背面５ｂとバックカバー４との間には、回路基板６を収容する収容空間１１が形成されている。
【０００６】
また、バックカバー４の下部には吸気口８が、上部には排気口９が設けられている。さらに、バックカバー４の内側には排気口９と対応する位置にファン１０が設けられている。ファン１０が稼働すると、バックカバー４の内部の収納空間１１とバックカバー４の外部との間で図９中の矢印Ａ１，Ａ２に示すような空気の流れが発生する。換言すると、吸気口８から低温空気が吸入され、バックカバー４内のシャーシ５と回路基板６とが強制対流によって冷却され、排気口９から高温空気が排出される。
【０００７】
最近では、画像表示装置の薄型化がさらに進展（１例として２５ｍｍ程度）している。シャーシ５とバックカバー４とで囲まれた収納空間１１の奥行きも非常に小さくなっている。換言すると、ファン１０のシャーシ５側に面した吸気面とシャーシ５との間隔も小さくなっている。これにより、収納空間１１における流路抵抗が増大して、ファン１０の風量が少なくなるという問題が生じている。
【０００８】
例えば特許文献１には、バックカバー４内部の収納空間１１を仕切り壁によって上下方向の複数の領域に分割することにより、上記の問題を解決するようにした画像表示装置が提案されている。この構成によれば、分割されたそれぞれの領域における吸気口から排気口に至る空気流路の流路抵抗を小さくして、冷却効率の改善が図られる。
【先行技術文献】
【特許文献】
【０００９】
【特許文献１】特開２００８−９１６４号公報
【発明の概要】
【発明が解決しようとする課題】
【００１０】
近年、家庭内でも画像表示装置を壁に設けられた窪み内に配置するケースが増えている。壁に設けられた窪み内に画像表示装置を配置する場合、画像表示装置の排気口から排出された高温空気が窪み内で滞留するという問題が生じる。これは、図１０に示すように、バックカバー４と窪み１０３の奥面１０３ａとの間隔が小さく（例えば６０ｍｍ以下）、かつ上下左右にも周面１０３ｂがあり、画像表示装置１００から排出された高温空気が画像表示装置１００と窪みの奥面１０３ａおよび周面１０３ｂとの間を通って窪み１０３外に排出されにくいためである。窪み１０３内で画像表示装置１００から排出された高温空気が滞留すると、画像表示装置１００から排出された高温空気が画像表示装置１００の吸気口８から再度吸気されてしまい、画像表示装置１００の十分な排熱を行えなくなるおそれがある。
【００１１】
窪み内に滞留する高温空気を窪み外に排出させるためには、例えば画像表示装置の筐体内部のファンの数を増やす、あるいは筐体内部のファンを性能の高いファンに置き換えるという対策が考えられる。これにより、画像表示装置の周りに狭い流路しか形成されない場合であっても、画像表示装置から排出された高温空気を窪みの外に効率的に排出することができる。しかし、窪み内に画像表示装置を配置する場合以外においては、過剰設計となってしまい、製造コストが割高になってしまう。
【００１２】
本発明は、上記問題点に鑑みて、壁に設けられた窪み内に配置されたときに画像表示装置から排出された高温空気を窪みの外へ排出できるようにすることを目的とする。
【課題を解決するための手段】
【００１３】
上記課題を解決するために、本発明は、表示面が前方を向く姿勢で配置される画像表示装置の周囲に設置されるフレームであって、前記画像表示装置の周囲の空間を前記画像表示装置の前面側の第１空間と前記画像表示装置の背面側の第２空間とに仕切るとともに、前記第１空間と前記第２空間とを連通する排気口が設けられた本体と、前記排気口を通じて前記第２空間から前記第１空間へ空気を流すファンと、を備える、画像表示装置用フレーム、を提供する。
【発明の効果】
【００１４】
本発明によれば、画像表示装置を壁に設けられた窪み内に配置した場合に、画像表示装置用フレームが有するファンが空気流を形成することで、画像表示装置の外においてより強い気流を発生させることができる。すなわち、画像表示装置用フレームが有するファンによって、画像表示装置内で発生し、画像表示装置から排出された高温空気を窪みの外に排出することができる。画像表示装置用フレームは、このようにして、高温空気の窪み内での滞留を抑制することができる。また、画像表示装置を窪み内に配置しないときは画像表示装置用フレームを取り外すことができるため、画像表示装置自体の過剰設計を回避することができる。
【図面の簡単な説明】
【００１５】
【図１】（Ａ）は、画像表示装置と画像表示装置を配置すべき壁に設けられた窪みを説明するための斜視図である。（Ｂ）は、画像表示装置を壁に設けられた窪み内に配置した様子を示す斜視図である。
【図２】（Ａ）は、本発明の第１の実施形態に係る画像表示装置用フレームを示す斜視図である。（Ｂ）は、（Ａ）のＩＩＢ−ＩＩＢ線に沿った断面図である。
【図３】（Ａ）は、本発明の第１の実施形態に係る画像表示装置用フレームを画像表示装置に取り付けた様子を示す斜視図である。（Ｂ）は、（Ａ）のＩＩＩＢ−ＩＩＩＢ線に沿った断面図である。
【図４】係合部が設けられた画像表示装置を示す斜視図である。
【図５】本発明の第２の実施形態に係る画像表示装置用フレームを示す斜視図である。
【図６】（Ａ）は、本発明の第３の実施形態に係る画像表示装置用フレームを示す斜視図である。（Ｂ）は、（Ａ）のVIＢ−VIＢ線に沿った断面図である。
【図７】（Ａ）は、本発明の第３の実施形態に係る画像表示装置用フレームを画像表示装置に取り付けた様子を示す斜視図である。（Ｂ）は、（Ａ）のVIIＢ−VIIＢ線に沿った断面図である。
【図８】プラズマディスプレイ装置の構成を示す概略斜視図である。
【図９】プラズマディスプレイ装置の構成を示す概略断面図である。
【図１０】壁に設けられた窪み内にプラズマディスプレイ装置を配置した様子を示す断面図である。
【発明を実施するための形態】
【００１６】
以下、本発明を実施するための形態について、図面を参照しながら説明する。なお、以下の説明は本発明の一例に関するものであり、本発明はこれらによって限定されるものではない。
【００１７】
（第１の実施形態）
まず、図１を用いて、画像表示装置１０１が配置される位置を説明する。図１（Ａ）は、画像表示装置１０１および壁１０２に設けられた窪み１０３を示す。窪み１０３は、奥面１０３ａおよび周面１０３ｂによって構成される。図１（Ｂ）は、画像表示装置１０１を壁１０２に設けられた窪み１０３内に配置した様子を示す。図１（Ｂ）のように、画像表示装置１０１は、画像表示装置１０１の表示面が前方を向く姿勢で設置されている。画像表示装置１０１と窪み１０３の大きさは通常は同じではない。したがって、画像表示装置１０１と窪み１０３との間に隙間１０４が生じる。
【００１８】
次に、図２を用いて、本発明の第１の実施形態に係る画像表示装置用フレーム２００Ａについて説明する。図２（Ａ）は、画像表示装置用フレーム２００Ａの斜視図である。図２（Ｂ）は図２（Ａ）のＩＩＢ−ＩＩＢ線に沿った断面図である。
【００１９】
図２（Ａ），（Ｂ）に示すとおり、画像表示装置用フレーム２００Ａは本体２０１、囲い部２０２、およびファン２０３を備える。本実施形態の本体２０１は、全体として、門型形状である。具体的には、本体２０１は、画像表示装置１０１の上方に配置される上辺部２０１ａ、画像表示装置１０１の左側および右側に配置される一対の側辺部２０１ｂとを有する。囲い部２０２は、本体２０１の外側縁部から延び、断面略コ字状をなしている。上辺部２０１ａには、排気口２０５が設けられている。また、一対の側辺部２０１ｂには吸気口２０６が設けられている。
【００２０】
図３（Ａ）は、画像表示装置用フレーム２００Ａを、窪み１０３内に配置した画像表示装置１０１に取り付けた様子を示す斜視図である。図３（Ｂ）は、図３（Ａ）のＩＩＩＢ−ＩＩＩＢ線に沿った断面図である。図３（Ａ），（Ｂ）に示すように窪み１０３内に配置された画像表示装置１０１に画像表示装置用フレーム２００Ａが取り付けられたとき、本体２０１は、画像表示装置１０１の周囲の空間を画像表示装置１０１の前面側の第１空間Ｓ１と画像表示装置１０１の背面側の第２空間Ｓ２とに仕切る。すなわち、本体２０１は、隙間１０４を閉塞する。なお、画像表示装置１０１の周囲の空間とは、画像表示装置１０１上下左右の一部または全ての空間を指す。
【００２１】
本体２０１は、画像表示装置１０１の前面と平行な板状の形状を有する。本実施形態の本体２０１と囲い部２０２は、樹脂により一体成形されている。また、画像表示装置１０１に取り付けられたとき、本体２０１の表面が画像表示装置１０１の前面と同一平面上にあることが好ましい。
【００２２】
本体２０１の上辺部２０１ａは、画像表示装置用フレーム２００Ａが画像表示装置１０１に取り付けられたとき、画像表示装置１０１の上方で横向きに延びる。上辺部２０１ａは、画像表示装置１０１の周囲に形成される隙間１０４のうち、画像表示装置１０１の上方に位置する部分を閉塞し、画像表示装置１０１の上方において第１空間Ｓ１と第２空間Ｓ２とを仕切る。
【００２３】
本体２０１の一対の側辺部２０１ｂは、画像表示装置用フレーム２００Ａが画像表示装置１０１に取り付けられたとき、画像表示装置１０１の左側および右側に位置し、上辺部２０１ａの両端から下方に延びる。一対の側辺部２０１ｂは、画像表示装置１０１の周囲に形成される隙間１０４のうち、画像表示装置１０１の左側および右側に位置する部分を閉塞し、画像表示装置１０１の左側および右側において第１空間Ｓ１と第２空間Ｓ２とを仕切る。
【００２４】
囲い部２０２は、画像表示装置用フレーム２００Ａが画像表示装置１０１に取り付けられたとき、本体２０１の外側縁部から第２空間Ｓ２を囲うように延びる。なお、本実施形態では、囲い部２０２は、窪み１０３の奥面１０３ａに接する位置まで延びている。
【００２５】
排気口２０５は、第２空間Ｓ２から第１空間Ｓ１に空気を排出するためのものである。排気口２０５は、本体２０１の上辺部２０１ａの中央領域に設けられている。なお、中央領域とは上辺部２０１ａの長手方向の左側２５％および右側２５％を除く中央５０％を指す。本実施形態では排気口２０５は、縦長の長方形形状の孔を３つ横に並べたものを３組設けて構成しているが、排気口２０５の形状および数はこれに限らず適宜選択可能である。
【００２６】
吸気口２０６は、第１空間Ｓ１から第２空間Ｓ２に空気を導入するためのものである。吸気口２０６は、本体２０１の一対の側辺部２０１ｂの各々の下部に設けられている。なお、一対の側辺部２０１ｂの各々の下部とは、一対の側辺部２０１ｂの各々の下側５０％の範囲を指す。本実施形態では吸気口２０６は、縦長の長方形形状の孔を縦に３つ並べて構成しているが、吸気口２０６の形状および数はこれに限らず適宜選択可能である。
【００２７】
ファン２０３は、ブラケットなどにより、本体２０１に取り付けられ、排気口２０５に向かって風を送ることにより、第２空間Ｓ２で上向きの空気の流れを形成する。ファン２０３としては、軸流ファンでもよく、遠心ファンでもよい。遠心ファンを用いる場合は、図３のように本体２０１から離れた位置に配置することが好ましい。軸流ファンの場合は本体に直接取り付けてもよい。本実施形態では、ファン２０３は排気口２０５に対応する位置に配置されている。なお、ファンの個数は特に限定されない。
【００２８】
以下、図３を用いて、第２空間Ｓ２において滞留する画像表示装置１０１から排出された高温空気が、本実施形態の画像表示装置用フレーム２００Ａによって窪み１０３内から窪み１０３外へ排出される仕組みを説明する。
【００２９】
本実施形態において、ａ１およびａ２に示される空気の流れはファン２０３によって形成される。第１空間Ｓ１と第２空間Ｓ２とを連通している部分は、画像表示装置１０１の周囲に形成される隙間１０４のうち画像表示装置１０１の下方に位置する部分、本体２０１に設けられた排気口２０５、および吸気口２０６である。図３（Ｂ）に示すように、第１空間Ｓ１における低温空気は矢印ａ１のように画像表示装置１０１の下側および吸気口２０６を介して第２空間Ｓ２へ入り込む。第１空間Ｓ１から第２空間Ｓ２に入り込んだ低温空気の一部は、画像表示装置１０１内には吸気されず、第２空間Ｓ２のうちの画像表示装置１０１の背面に面する窪み１０３内の空間Ｓ３において滞留する画像表示装置１０１から排出された高温空気を本体２０１の排気口２０５へと移動させる。最終的には、第１空間Ｓ１から第２空間Ｓ２に入り込んだ空気は矢印ａ２のように排気口２０５を介して第２空間Ｓ２から第１空間Ｓ１に排出される。このようにして、画像表示装置用フレーム２００Ａは、空間Ｓ３において滞留する画像表示装置１０１から排出された高温空気を窪み１０３内から窪み１０３外へ排出する。
【００３０】
ここで、画像表示装置１０１の上方、左側または右側に隙間１０４が存在する場合は、ファン２０３が第２空間Ｓ２において吸気口２０６または画像表示装置の下部の隙間１０４から排気口２０５に至る空気の流れを形成することができない。本実施形態では、本体２０１を画像表示装置１０１の周囲に配置することで、隙間１０４を閉塞している。このように、本体２０１は、第１空間Ｓ１と第２空間Ｓ２との間の空気の流れを画像表示装置の下部、吸気口２０６および排気口２０５に規制して、吸気口２０６または画像表示装置の下部から排気口２０５に至る空気の流れを形成することができる。
【００３１】
また、本実施形態では、排気口２０５が上辺部２０１ａの中央領域に設けられているため、画像表示装置１０１の左側または右側に配置されている吸気口２０６から吸気された空気の大部分が、空間Ｓ３を通過する。これにより、排気口２０５が上辺部２０１ａの両端部に設けられている場合に比べて、画像表示装置１０１から排出され、空間Ｓ３において滞留する高温空気をより効率的に第２空間Ｓ２から第１空間Ｓ１に排出させることができる。
【００３２】
本実施形態では、吸気口２０６は一対の側辺部２０１ｂの下部に設けられているため、吸気口２０６から導入された空気の大部分が空間Ｓ３を通過する。これにより、吸気口２０６が一対の側辺部２０１ｂの上部に設けられている場合に比べて、画像表示装置１０１から排出され、空間Ｓ３において滞留する高温空気をより効率的に第２空間Ｓ２から第１空間Ｓ１に排出させることができる。
【００３３】
なお、本実施形態では、画像表示装置１０１の下方に形成される隙間１０４は閉塞しない。画像表示装置１０１の下方に形成される隙間１０４は、吸気口２０６と同様に作用するため、存在するほうがむしろ好ましいためである。また、本実施形態では、一対の側辺部２０１ｂの下部に吸気口２０６が設けられているので、画像表示装置用フレーム２００Ａを下部に隙間がない画像表示装置（たとえば図８の画像表示装置１００）に取り付けた場合であっても、ファン２０３によって適切な空気の流れを形成することができる。
【００３４】
（第２の実施形態）
次に本発明の第２の実施形態の画像表示装置用フレーム２００Ｂについて、図４および図５を用いて説明する。なお、第２の実施形態においては、第１の実施形態と同一構成部分には同一符号を付して、その説明を省略する。
【００３５】
図４は、第２の実施形態において画像表示装置用フレーム２００Ｂが取り付けられる画像表示装置１１１の斜視図である。図５は、第２の実施形態の画像表示装置用フレーム２００Ｂの斜視図である。
【００３６】
画像表示装置用フレーム２００Ｂの本体２０１には、画像表示装置１１１に設けられた係合部２０８と係合するための被係合部２０７が設けられている。これにより、画像表示装置用フレーム２００Ｂの画像表示装置１１１への取り付けが容易となる。また、外的な衝撃が本体２０１または画像表示装置１１１に加わったとしても、本体２０１と画像表示装置１１１の相対的な位置の変化が起こりにくくなる。したがって、外的な衝撃が加わっても、画像表示装置１１１から排出された高温空気を窪み１０３の外へ排出する性能を保つことができる。具体的な係合部２０８と被係合部２０７の組み合わせは公知のものでよく、例えば、凸部（突条、突出部）と凹部（溝条、窪み）の組み合わせを採用すればよい。なお、第２の実施形態では、係合部２０８および被係合部２０７をそれぞれ４か所設けているが、これらの数は限定されるものではなく、またこれらの位置も適宜選択可能である。
【００３７】
（第３の実施形態）
次に本発明の第３の実施形態の画像表示装置用フレーム２００Ｃについて、図６および図７を用いて説明する。なお、第３の実施形態においては、第１の実施形態と同一構成部分には同一符号を付して、その説明を省略する。
【００３８】
図６（Ａ）は、画像表示装置用フレーム２００Ｃの斜視図である。図６（Ｂ）は図６（Ａ）のVIＢ−VIＢ線に沿った断面図である。
【００３９】
図６（Ａ），（Ｂ）に示すとおり、画像表示装置用フレーム２００Ｃは本体２０１とファン２０３とを備え、本体２０１には排気口２０５が設けられている。また、本実施形態の本体２０１は画像表示装置１０１の上方に配置される上辺部２０１ａから構成される。
【００４０】
図７（Ａ）は、画像表示装置用フレーム２００Ｃを、窪み１０３内に配置した画像表示装置１０１に取り付けた様子を示す斜視図である。図７（Ｂ）は、図７（Ａ）のVIIＢ−VIIＢ線に沿った断面図である。図７に示すように、画像表示装置用フレーム２００Ｃは、画像表示装置１０１と窪み１０３との間の隙間１０４のうち、画像表示装置１０１の上方に形成される隙間１０４のみを閉塞する。画像表示装置１０１の左側および右側における隙間１０４が十分に小さいときは、画像表示装置１０１の左側および右側を介して第２空間Ｓ２から第１空間Ｓ１へ漏れる空気の量が少ない。したがって、画像表示装置用フレーム２００Ａおよび画像表示装置用フレーム２００Ｂのように一対の側辺部を設けなくても、ファン２０３が画像表示装置１０１の周囲に形成される隙間１０４のうち画像表示装置１０１の下方に位置する部分から排気口２０５に至る空気の流れを形成することができる。これにより、画像表示装置用フレーム２００Ａおよび画像表示装置用フレーム２００Ｂに比べて製造コストを抑えることができる。
【産業上の利用可能性】
【００４１】
本発明によると、壁に設けられた窪み内に配置された画像表示装置から排出された高温空気を、窪みの外へ排出することができる。また、画像表示装置を窪み内に配置しないときは本画像表示装置用フレームを取り外すことができるため、画像表示装置自体の過剰設計を回避することができる。また、本発明の画像表示装置用フレームは、プラズマテレビ、液晶テレビおよび有機ＥＬ（Electro Luminescence）ディスプレイテレビをはじめ種々の画像表示装置に適用可能で汎用性は高い。
【符号の説明】
【００４２】
２        プラズマディスプレイパネル
３        フロントカバー
４        バックカバー
５        シャーシ
６        回路基板
７        樹脂シート
８        吸気口
９        排気口
１０      ファン
１１      空間
１００    プラズマディスプレイ装置
１０１    画像表示装置
１０２    壁
１０３    窪み
１０４    隙間
１１１    画像表示装置
２００Ａ  画像表示装置用フレーム
２００Ｂ  画像表示装置用フレーム
２００Ｃ  画像表示装置用フレーム
２０１    本体
２０１ａ  上辺部
２０１ｂ  一対の側辺部
２０２    囲い部
２０３    ファン
２０５    排気口
２０６    吸気口
２０７    被係合部
２０８    係合部
【図１】
2011191534.tif 000003
【図２】
2011191534.tif 000004
【図３】
2011191534.tif 000005
【図４】
2011191534.tif 000006
【図５】
2011191534.tif 000007
【図６】
2011191534.tif 000008
【図７】
2011191534.tif 000009
【図８】
2011191534.tif 000010
【図９】
2011191534.tif 000011
【図１０】
2011191534.tif 000012